(57)【要約】【課題】被測定者の身体条件に応じて無理なく挿入し測定することが可能であるとともに、被測定者の血圧測定部位を挿入する際の挿入スペースを含んだ装置スペースを最小限とすることが可能である血圧測定装置及び血圧測定システムを提供する。【解決手段】血圧測定装置１は、載置面５０と略平行となる設置面７ａを有する下部ハウジング２と、設置面７ａと略直交する軸回りに回転可能に下部ハウジング２上に設けられた第一の上部ハウジング３と、血圧測定部位を挿入する挿入孔１３ａが形成され、挿入された血圧測定部位を圧迫可能な略筒状のカフ１４が挿入孔１３ａの内周面に設けられた腕帯部６とを備えている。腕帯部６は、挿入孔１３ａの血圧測定部位が挿入される先端部１３ｃが設置面７ａと略平行な軸回りに回転可能に、第一の上部ハウジング３に軸着されている。【選択図】図１
2007130284.tif 000002
【特許請求の範囲】
【請求項１】
載置面と略平行となる設置面を有する下部ハウジングと、
前記設置面と略直交する軸回りに回転可能に前記下部ハウジングの前記設置面上に設けられた第一の上部ハウジングと、
血圧測定部位を挿入する挿入孔が形成され、挿入された血圧測定部位を圧迫可能な略筒状のカフが前記挿入孔の内周面に設けられた腕帯部とを備え、
該腕帯部は、前記挿入孔の前記血圧測定部位が挿入される先端部が前記設置面と略平行な軸回りに回転可能に、前記第一の上部ハウジングに軸着されていることを特徴とする血圧測定装置。
【請求項２】
請求項１に記載の血圧測定装置において、
前記第一の上部ハウジングは、断面略円形に形成された円周端が前記設置面と略平行となるように前記下部ハウジングに当接するとともに、
該下部ハウジングには、前記円周端の円周方向に前記第一のハウジングを摺動可能に、前記第一のハウジングの前記円周端に嵌合する第一の嵌合部が形成されていることを特徴とする血圧測定装置。
【請求項３】
請求項１または請求項２に記載の血圧測定装置において、
前記設置面と略直交する軸回りに回転可能に前記下部ハウジングの前記設置面上に設けられ、外面部に測定結果を表示する表示部と、測定の開始及び停止を指示する操作部とが設けられた第二の上部ハウジングを備えることを特徴とする血圧測定装置。
【請求項４】
請求項３に記載の血圧測定装置において、
前記第二の上部ハウジングは、断面略円形に形成された円周端が前記設置面と略平行となるように前記下部ハウジングに当接するとともに、
該下部ハウジングには、前記円周端の円周方向に前記第二のハウジングを摺動可能に、前記第二のハウジングの前記円周端に嵌合する第二の嵌合部が形成されていることを特徴とする血圧測定装置。
【請求項５】
請求項１から請求項４のいずれかに記載の血圧測定装置において、
挿入された前記血圧測定部位から発生するコロトコフ音を検出するマイクロホンセンサを、前記腕帯部の前記カフの内周面側の最下部、及び周方向に隣り合う両側の少なくとも３箇所に備えることを特徴とする血圧測定装置。
【請求項６】
請求項１から請求項５のいずれかに記載の血圧測定装置と、
該血圧測定装置が載置される前記載置面を有する天板、及び該天板を前記載置面に略直交する軸回りに回転可能に支持する脚部を有する架台とを備えることを特徴とする血圧測定システム。 
【発明の詳細な説明】
【技術分野】
【０００１】
本発明は、血圧測定に用いられる血圧測定装置及び血圧測定システムに関する。
【背景技術】
【０００２】
近年、自動的に血圧を測定することができる血圧測定装置は、一般家庭や公衆の場に広く普及し、様々な場所に設置されており、健康管理の一環として利用されている。このような背景から、一般の人が、補助者などを必要とせずに、単独で手軽に利用可能な血圧測定装置が提案されている。例えば、載置面に載置され操作部が設けられた本体部と、被測定者の血圧測定部位が挿入される中空開口部を有する生体挿入部とを備え、生体挿入部は、中空開口部の軸線が本体部の上面部に直交する状態から水平面と平行な状態を僅かに超える程度にまで倒れた状態まで回転可能に本体部に連結された血圧測定装置が提案されている（例えば、特許文献１参照）。このような血圧測定装置によれば、挿入される血圧測定部位である腕の方向に従って生体挿入部の方向を上下に調整することができるので、無理なく自然な姿勢にて血圧測定を行うことができるとされている。
【特許文献１】特開２００５−２３７８０２号公報
【発明の開示】
【発明が解決しようとする課題】
【０００３】
しかしながら、特許文献１による血圧測定装置によれば、従来の方法と同様に、被測定者は、自身と対向する中空開口部の入り口に血圧測定部位である腕を手のひらを上に向け、肘を伸ばした状態で挿入する。そして、肘が中空開口部に完全に挿入され、肘置きに配置された後、手が上方に位置するように肘を曲げる必要があった。このように腕を挿入する行為は、そもそも通常の状態における腕の向きとは異なっており、特に関節が固まってしまった高齢者においては非常に困難な作業となってしまっていた。また、上述のように自身と対向する中空開口部の入り口から肘を伸ばした状態で腕を挿入する必要があるため、血圧測定装置の後部には、腕を挿入するためのスペースが必要となる。しかし、このような挿入するためのスペースが無い場合には、完全に腕を挿入することが困難であり、結果として精度の良い測定ができない問題があった。
【０００４】
この発明は、上述した事情に鑑みてなされたものであって、被測定者の身体条件に応じて無理なく挿入し測定することが可能であるとともに、被測定者の血圧測定部位を挿入する際の挿入スペースを含んだ装置スペースを最小限とすることが可能である血圧測定装置及び血圧測定システムを提供するものである。
【課題を解決するための手段】
【０００５】
上記課題を解決するために、この発明は以下の手段を提案している。
本発明の血圧測定装置は、載置面と略平行となる設置面を有する下部ハウジングと、前記設置面と略直交する軸回りに回転可能に前記下部ハウジングの前記設置面上に設けられた第一の上部ハウジングと、血圧測定部位を挿入する挿入孔が形成され、挿入された血圧測定部位を圧迫可能な略筒状のカフが前記挿入孔の内周面に設けられた腕帯部とを備え、該腕帯部は、前記挿入孔の前記血圧測定部位が挿入される先端部が前記設置面と略平行な軸回りに回転可能に、前記第一の上部ハウジングに軸着されていることを特徴としている。
【０００６】
この発明に係る血圧測定装置によれば、第一の上部ハウジングに設けられた腕帯部の挿入孔の先端部を設置面と略平行な軸回りに回転させることができる。さらに、下部ハウジングに対して第一の上部ハウジングを設置面に略直交する軸回りに回転可能であることで、第一の上部ハウジングに設けられた腕帯部を設置面と略平行な面内において回転させることができる。このため、被測定者に対して腕帯部の挿入孔の挿入方向を上下左右自在に調整し、被測定者の身体条件に応じて血圧測定部位を無理なく挿入させることが可能である。特に、血圧測定部位を腕とした場合には、手のひらを下向きにした自然な腕の向きとして挿入し測定することが可能である。また、挿入方向を血圧測定装置の上方となるように設定すれば、血圧測定部位を挿入するためのスペースを別途確保する必要が無く、血圧測定装置を設置するのに必要な装置スペースのみで、血圧測定部位を腕帯部の挿入孔に挿入させることができる。
【０００７】
また、上記の血圧測定装置において、前記第一の上部ハウジングは、断面略円形に形成された円周端が前記設置面と略平行となるように前記下部ハウジングに当接するとともに、該下部ハウジングには、前記円周端の円周方向に前記第一のハウジングを摺動可能に、前記第一のハウジングの前記円周端に嵌合する第一の嵌合部が形成されていることがより好ましいとされている。
【０００８】
この発明に係わる血圧測定装置によれば、第一の上部ハウジングは、設置面と略平行である円周端の円周方向に摺動することで、下部ハウジングの設置面上を設置面と略直交する軸回りに回転することが可能である。このため、第一の上部ハウジングの回転中心には、回転軸を設ける必要が無い。
【０００９】
また、上記の血圧測定装置において、前記設置面と略直交する軸回りに回転可能に前記下部ハウジングの前記設置面上に設けられ、外面部に測定結果を表示する表示部と、測定の開始及び停止を指示する操作部とが設けられた第二の上部ハウジングを備えることがより好ましいとされている。
【００１０】
この発明に係わる血圧測定装置によれば、第一の上部ハウジング及び腕帯部を回転させることで、腕帯部の挿入孔の挿入方向を調整するとともに、第二の上部ハウジングを回転させることで、表示部及び操作部の向きも調整することができる。このため、血圧測定装置の向きがいかなる方向であったとしても、腕帯部の挿入孔の挿入方向と、表示部及び操作部の向きとを被測定者の最適な方向とすることができる。
【００１１】
より具体的には、上記のように挿入孔の挿入方向と、表示部及び操作部の向きとを調整できることから、血圧測定部位を右腕とする場合には、第一の上部ハウジングを被測定者から向って右側、表示部及び操作部を向って左側として、各方向を最適な方向に調整して血圧を測定することができる。また、血圧測定部位を左腕とする場合には、血圧測定装置全体を反転させるとともに、第一のハウジング及び第二のハウジングも回転させることで、右腕で測定する時と同じ測定条件で測定することができる。さらに、血圧測定部位が右腕または左腕いずれの場合においても、挿入孔の挿入方向を第一のハウジングから第二のハウジングに向う方向として、挿入孔に挿入した腕先の手が第二のハウジングの操作部に届くように第二のハウジングを回転させれば、片手による操作も可能となる。
【００１２】
また、上記の血圧測定装置において、前記第二の上部ハウジングは、断面略円形に形成された円周端が前記設置面と略平行となるように前記下部ハウジングに当接するとともに、該下部ハウジングには、前記円周端の円周方向に前記第二のハウジングを摺動可能に、前記第二のハウジングの前記円周端に嵌合する第二の嵌合部が形成されていることがより好ましいとされている。
【００１３】
この発明に係わる血圧測定装置によれば、第二の上部ハウジングは、設置面と略平行である円周端の円周方向に摺動することで、下部ハウジングの設置面上を設置面と略直交する軸回りに回転することが可能である。このため、第二の上部ハウジングの回転中心には、回転軸を設ける必要が無い。
【００１４】
また、上記の血圧測定装置において、挿入された前記血圧測定部位から発生するコロトコフ音を検出するマイクロホンセンサを、前記腕帯部の前記カフの内周面側の最下部、及び周方向に隣り合う両側の少なくとも３箇所に備えることがより好ましいとされている。
【００１５】
この発明に係わる血圧測定装置によれば、血圧測定部位から発生するコロトコフ音を検出し、その変化から最高血圧及び最低血圧を決定するリバロッチ法によるものである。また、コロトコフ音を検出するマイクロホンが腕帯部のカフの内周面側の最下部、及び周方向に隣り合う両側の少なくとも３箇所に設けられることで、挿入孔に挿入される血圧測定部位の向きが異なっても、正確にコロトコフ音を検出することができる。
【００１６】
また、本発明の血圧測定システムは、上記の血圧測定装置と、該血圧測定装置が載置される前記載置面を有する天板、及び該天板を前記載置面に略直交する軸回りに回転可能に支持する脚部を有する架台とを備えることを特徴としている。
【００１７】
この発明に係る血圧測定システムによれば、血圧測定装置を載置する天板が回転し、血圧測定装置全体の向きを調整することができることで、上記のように血圧測定部位を右腕にする時、あるいは左腕にする時など、使用態様に応じて様々な向きに容易に調整することができる。
【発明の効果】
【００１８】
本発明の血圧測定装置によれば、挿入孔に挿入される血圧測定部位の挿入方向を被測定者に対して上下左右自在に調整することができる。このため、被測定者の身体条件に応じて無理なく挿入し測定することが可能であり、特に関節の固まってしまった高齢者などでも容易に挿入することが可能である。また、挿入方向を血圧測定装置の上方となるように設定すれば、装置本体のスペース以外に血圧測定部位を挿入する際の挿入スペースを必要とせず、挿入スペースを含んだ装置スペースを最小限とすることができる。さらに、被測定者の身体条件によらず、また装置スペースによらず挿入孔に無理なく血圧測定部位を挿入することができるので、精度良く測定を行うことができる。
【発明を実施するための最良の形態】
【００１９】
図１から図１２は、この発明に係る実施形態を示している。図１に血圧測定装置の全体斜視図、図２に平面図を示す。また、図３に、図１におけるＡ−Ａ断面で破断した断面図、図４にＢ−Ｂ断面で破断した断面図、図５にＣ−Ｃ断面で破断した断面図、及び図６にＤ−Ｄ断面で破断した断面図を示す。また、図７に血圧測定システムの全体斜視図を示す。また、図８及び図９に架台の斜視図を示す。さらに、図１０に血圧測定システムの平面図を示す。また、図１１及び図１２に血圧測定システムを使用した説明図を示す。
【００２０】
図１に示すように、血圧測定装置１は、載置面５０に載置される下部ハウジング２と、
下部ハウジング２上に設けられた第一の上部ハウジング３、第二の上部ハウジング４及び中間ハウジング５と、第一の上部ハウジング３に設けられた腕帯部６とを備える。第一の上部ハウジング３及び第二の上部ハウジング４は、ともに略半球体に形成されており、略円形に形成された円周端３ａ、４ａにおいて、下部ハウジング２と当接している。
【００２１】
下部ハウジング２は、第一の上部ハウジング３が設けられた第一の設置部７と、第二の上部ハウジング４が設けられた第二の設置部８と、第一の設置部７と第二の設置部８とを連結する連結部９とを備える。第一の設置部７及び第二の設置部８は、それぞれ対応する第一の上部ハウジング３及び第二の上部ハウジング４の円周端３ａ、４ａと略等しい円形状に形成されており、それぞれの設置面７ａ、８ａは、下部ハウジング２が載置された際に、載置面５０と略平行となるように形成されている。すなわち、下部ハウジング２には、第一の上部ハウジング３及び第二の上部ハウジング４が、円周端３ａ、４ａを載置面５０と略平行となるように当接し設けられている。そして、下部ハウジング２と、第一の上部ハウジング３及び第二の上部ハウジング４のそれぞれとで、後述する加圧ポンプ１６、制御部４３等の各内部機器が収容される第一の収容部３ｂ及び第二の収容部４ｂが形成されている。また、下部ハウジング２の連結部９には、中間ハウジング５が設けられていることで、第一の収容部３ｂと第二の収容部４ｂとを連絡する連絡通路５ａが形成されている。
【００２２】
次に、血圧測定装置１の各構成要素の詳細について、図１から図６に基づいて説明する。図３から図５に示すように、下部ハウジング２において、第一の設置部７の設置面７ａには、第一の嵌合部１０が環状に突出して形成されている。第一の嵌合部１０は、当接する第一の上部ハウジング３の円周端３ａの外面部３ｃに嵌合しており、第一の上部ハウジング３を円周端３ａの円周方向Ｐに摺動可能としている。また、図４及び図５に示すように、第一の上部ハウジング３には、略平行に配設された２つの略Ｌ字状の固定部材１１の一辺１１ａが、第一の上部ハウジング３の内面部３ｄに固定されている。さらに、２つの固定部材１１の他辺１１ｂには、支持板１２が固定されていて、支持板１２の隅部１２ａは、第一の設置部７の開口部７ｂより下方に位置し、設置面７ａと反対側の下面７ｃに当接している。すなわち、第一の上部ハウジング３は、円周端３ａにおいて第一の嵌合部１０に嵌合されるとともに、支持板１２の隅部１２ａが第一の設置部７の下面７ｃに当接することで、下部ハウジング２と組み付けられている。さらに、第一の上部ハウジング３は、下部ハウジング２の第一の設置部７の設置面７ａ上において、円周端３ａの円周方向Ｐに摺動可能であり、すなわち、設置面７ａと略直交する軸回りに回転可能である。
【００２３】
また、図１及び図３に示すように、腕帯部６は、血圧測定部位を挿入する挿入孔１３ａが形成された測定部１３と、略筒状で、挿入孔１３ａの内周面に設けられたカフ１４と、測定部１３を基端部１３ｂにおいて支持する支持部１５とを備えている。カフ１４は、空気室１４ａが形成されており、連結された加圧ポンプ１６及び電磁弁１７によって、内部圧力を調整し、挿入された血圧測定部位を圧迫することが可能である。また、図４に示すように、支持部１５は、２つの固定部材１１の一辺１１ａの間に略平行に配設された２つの側板１５ａと、側板１５ａの上端部１５ｂに固定された略球面状の天板１５ｃとを備える。２つの側板１５ａにはそれぞれ設置面７ａと略平行に配設された軸体１８が固定されており、軸体１８は固定部材１１の一辺１１ａに回転可能に軸着されている。また、図３に示すように、支持板１２において、天板１５ｃの前端部１５ｄの下方には、当接板１９が回転可能に軸着されているとともに、捩じりばね２０で上方に付勢されている。また、支持板１２において、天板１５ｃの後端部１５ｅの下方には、ストッパー２１が固定されている。すなわち、図３及び図４に示すように、支持部１５は、軸体１８を中心として、設置面７ａと略平行な軸回りに回転可能であるとともに、前方位置Ｓ１において当接板１９に当接して弾性的に係止され、また後方位置Ｔ１においてストッパー２１に当接して係止される。また、支持部１５の天板１５ｃの頂部１５ｆには、肘当て板２２が設けられている。肘当て板２２は、例えばゴムやウレタンなどで形成されている。
【００２４】
また、図３に示すように、支持部１５の天板１５ｃの前面部１５ｇには、開口部１５ｈが形成されていて、また、測定部１３が、挿入孔１３ａの血圧測定部位が挿入される先端部１３ｃが突出するように、基端部１３ｂにおいて固定されている。このため、測定部１３は、支持部１５が前方位置Ｓ１から後方位置Ｔ１まで回転するのに伴って、先端部１３ｃが、設置面７ａと略平行な軸回りである方向Ｒに、対応する下方位置Ｓ２から上方位置Ｔ２まで回転可能である。つまり、挿入孔１３ａの挿入方向Ｍを設置面７ａと略平行な向きから、上方から下方に挿入する方向まで上下方向に調整することが可能である。さらに、腕帯部６の支持部１５は、第一の上部ハウジング３に固定された固定部材１１に軸体１８で固定されているので、第一の上部ハウジング３が回転するのに伴って、設置面７ａに略直交する軸回りに回転することが可能である。つまり、図２に示すように、第一の上部ハウジング３に設けられた腕帯部６を設置面７ａと略平行な面内において円周方向Ｐに回転させ、挿入孔１３ａの挿入方向Ｍを左右に調整することが可能である。
【００２５】
なお、図３に示すように、第一の上部ハウジング３には、腕帯部６の測定部１３の下方位置Ｓ２に対応して軟弾性の当接板２３が設けられており、当接板１９が支持部１５を弾性的に係止するとともに、当接板２３が測定部１３を弾性的に支持する構成となっている。当接板２３は、例えばゴムやウレタンなどで形成されている。また、図２及び図５に示すように、下部ハウジング２の第一の設置部７の設置面７ａ上には、２つの係止部材２４、２５が設けられているとともに、第一の上部ハウジング３の内面部３ｄには対応する凸部２６が係止部材２４、２５のいずれか一方に当接可能に設けられている。すなわち、第一の上部ハウジング３及び腕帯部６は、係止部材２４、２５及び凸部２６により回転規制され、位置Ｕ１から位置Ｖ１まで回転角θ１で、第一の上部ハウジング３と第二の上部ハウジング４とを結ぶ血圧測定装置１の中心線１ａに線対称となる範囲で回転可能となっている。なお、本実施形態では、回転角θ１を約２７０度に設定している。
【００２６】
また、図３に示すように、加圧ポンプ１６と電磁弁１７とは、エアタンク１６ａを介して、接続管２７によって互いに接続されている。加圧ポンプ１６、電磁弁１７及びエアタンク１６ａは、支持板１２に固定されていて、第一の上部ハウジング３とともに回転することが可能である。また、測定部１３におけるカフ１４には、空気室１４ａと外部とを接続する接続部材２９が設けられ、支持部１５の天板１５ｃの開口部１５ｈから配管される接続管２７と接続されている。このため、カフ１４は加圧ポンプ１６によって加圧され、電磁弁１７の開閉によって減圧される。また、図６に示すように、第二の上部ハウジング４には、後述する制御部４３と接続された圧力センサ２８が設けられている。圧力センサ２８と接続管２７とは、配管３１ｂで接続されており、加圧ポンプ１６及び電磁弁１７によって加圧及び減圧されるカフ１４の空気室１４ａの圧力を圧力センサ２８によって検出することが可能である。また、図３に示すように、カフ１４の内周面１４ｂには、挿入された血圧測定部位をカフ１４によって圧迫した際に、血圧測定部位から発生するコロトコフ音を検出するマイクロホンセンサ３０が設けられている。図１に示すように、マイクロホンセンサ３０は、カフ１４の最下部、及びカフ１４の周方向に隣り合う両側の３箇所に設けられている。
【００２７】
なお、加圧ポンプ１６、電磁弁１７及びマイクロホンセンサ３０は、詳細は図示しないが、それぞれ後述する電源４４及び制御部４３と複数の配線３１ａで、中間ハウジング５の連絡通路５ａを経由して接続されている。図３及び図５に示すように、連絡通路５ａにおいて、配線３１ａは袋体３２ａによって一体化されているとともに、袋体３２ａ及び配管３１ｂは、２枚のプラスチックシート３２ｂに挟装され、固定されている。また、中間ハウジング５には、プリンタ３３が設けられており、測定結果を出力することが可能である。このプリンタ３３は、図示しないプリンタ基板と接続されているとともに、プリンタ基板は図示しない配線によって電源４４及び制御部４３と接続されていて、この配線もプラスチックシート３２ｂによって固定されている。なお、上述の配線及び接続管２７は第一の上部ハウジング３及び第二の上部ハウジング４が回転する際に支障とならないよう、十分な余裕を有する長さに設定されている。
【００２８】
また、図１及び図６に示すように、第一の上部ハウジング３と同様に、第二の上部ハウジング４も下部ハウジング２の第二の設置部８の設置面８ａ上において、円周端４ａの円周方向Ｑに摺動可能であり、設置面８ａと略直交する軸回りに回転可能な構成となっている。すなわち、下部ハウジング２において、第二の設置部８の設置面８ａには、第二の嵌合部３４が環状に突出して形成されている。第二の嵌合部３４は、当接する第二の上部ハウジング４の円周端４ａの外面部４ｃに嵌合しており、第二の上部ハウジング４を円周端４ａの円周方向Ｑに摺動可能としている。また、図６に示すように、第二の上部ハウジング４には、略平行に配設された２つの略Ｌ字状の固定部材３５の一辺３５ａが、第二の上部ハウジング４の内面部４ｄにネジ３６によって吊設され、固定されている。そして、２つの固定部材３５の他辺３５ｂは、第二の設置部８の開口部８ｂより下方に位置し、設置面８ａと反対側の下面８ｃに当接している。
【００２９】
図２に示すように、第一の上部ハウジング３及び下部ハウジング２の第一の設置部７と同様に、第二の設置部８の設置面８ａには２つの係止部材３７、３８が設けられ、第二の上部ハウジング４の内面部４ｄには凸部３９が設けられている。そして、第二の上部ハウジング４は、位置Ｕ２から位置Ｖ２まで回転角θ２で、中心線１ａに線対称となる範囲で回転可能となっている。なお、本実施形態では、回転角θ２を約２７０度に設定している。
【００３０】
また、図１及び図６に示すように、第二の上部ハウジング４の外面部４ｃには、測定結果を表示する表示部４０と、測定の開始及び停止を指示する操作部４１とが設けられている。表示部４０には、圧力センサ２８で検出された圧力値に基づいて決定された最高血圧、最低血圧などが表示可能である。図６に示すように、第二の上部ハウジング４の表示部４０に対応する範囲は、表示部４０を目視可能に透過板４２で形成されている。また、表示部４０は、第二の上部ハウジング４の内面部４ｄに固定された制御部４３に接続されている。
【００３１】
操作部４１は、測定開始を指示する開始ボタン４１ａと、測定中に何らかの理由により緊急停止させる場合に使用される停止ボタン４１ｂが備えられている。これらはともに、制御部４３と図示しない配線により接続されている。また、制御部４３は、加圧ポンプ１６、電磁弁１７、マイクロホンセンサ３０などと配線３１ａで接続されている。また、図示しない別の配線によって図示しないプリンタ基板と接続され、プリンタ３３に接続されている。このため、制御部４３は、操作部４１の操作に従い、圧力センサ２８及びマイクロホンセンサ３０から検出される圧力値及びコロトコフ音に基づいて、加圧ポンプ１６及び電磁弁１７の制御を行い、その結果測定された最高血圧、最低血圧などを表示部４０に表示させ、プリンタ３３で出力させることが可能である。さらに、電源４４が設けられており、図示しない配線により各内部機器と接続され、電力を供給している。
【００３２】
さらに、図７に示すように、血圧測定装置１と、血圧測定装置１が載置される載置面５０を有する架台５１とを備えた血圧測定システム６０を構成するものとしても良い。図８及び図９に示すように、架台５１は、より詳しくは、載置面５０を有する天板５２と、天板５２を載置面５０に略直交する軸回りに回転可能に支持する脚部５３とを備える。脚部５３は、床面に当接し支持する支持部材５４と、略棒状の軸部材５５とを備える。天板５２は、軸部材５５に軸着されているとともに、軸部材５５に設けられた係合部材５５ａが、天板５２の裏面５２ａに設けられた係合凹部５２ｂに挿入され、係合凹部５２ｂ内で移動可能な範囲において、回転可能となっている。また、軸部材５５には、図７に示す説明板５７を先端部５６ａに取付可能な取付金具５６が固定されている。
【００３３】
次に、血圧測定装置１、血圧測定システム６０の作用について説明する。まず、図７及び図１０に示すように、被測定者Ｎの右腕Ｎ１を血圧測定部位として測定する場合について説明する。この場合には、腕帯部６が設けられた第一の上部ハウジング３を被測定者Ｎから向って右側、表示部４０及び操作部４１が設けられた第二の上部ハウジング４を被測定者Ｎから向って左側となるように架台５１の天板５２を回転させて、血圧測定装置１の全体の向きを調整する。この際、図１０に示すように、右腕Ｎ１の向きに合わせて、第一の上部ハウジング３側を被測定者Ｎの手前側、第二の上部ハウジング４側を奥側となるように位置調整する。さらに、第一の上部ハウジング３を、挿入方向Ｍが右腕Ｎ１の方向と一致するように円周方向Ｐに回転して調整するとともに、第二の上部ハウジング４も表示部４０が被測定者Ｎから目視可能な方向となるように円周方向Ｑに回転させて調整する。
【００３４】
なお、図３及び図６に示すよう、第一の上部ハウジング３及び第二の上部ハウジング４は、第一の嵌合部１０及び第二の嵌合部３４によって、中心軸を設けずに回転することが可能である。このため、各内部機器が収容される第一の収容部３ｂ及び第二の収容部４ｂのスペースを最大限確保できるともに、回転に伴って配線が混線してしまう恐れが無い。また、連絡通路５ａの配線３１ａは袋体３２ａによって一体化され、さらにプラスチックシート３２ｂによって配管３１ｂとともに固定されているので、連絡通路５ａにおいても配線３１ａ及び配管３１ｂが混線してしまう恐れが無い。
【００３５】
次に、右腕Ｎ１を腕帯部６の挿入孔１３ａに挿入する。この際、第一の上部ハウジング３は円周方向Ｐに、また、腕帯部６の測定部１３は方向Ｒに、右腕Ｎ１の挿入に従って回転し微調整される。すなわち、図７及び図１０に示すように、被測定者Ｎに対して腕帯部６の挿入孔１３ａの挿入方向Ｍを上下左右自在に調整し、背筋を伸ばした状態で、被測定者Ｎの身長など身体条件に応じて右腕Ｎ１を無理なく挿入させることが可能である。特に、手のひらを下向きにした自然な右腕Ｎ１の向きとして挿入し測定することが可能であり、関節の固くなった高齢者などでも無理なく挿入することでき、測定姿勢が安定し、測定精度を向上を図ることができる。
【００３６】
また、図１０に示すように、右腕Ｎ１の挿入される方向が血圧測定装置１の上方なので、血圧測定部位である右腕Ｎ１を挿入するためのスペースを別途確保する必要が無く、血圧測定装置１を設置するのに必要な装置スペースのみで、右腕Ｎ１を腕帯部６の挿入孔１３ａに挿入させることができる。さらに、右腕Ｎ１が挿入される方向が血圧測定装置１の上方であることで、第二の上部ハウジング４の向きを微調整し、血圧測定部位である右腕Ｎ１の手Ｎ２を操作部４１に配置させることができる。このため、被測定者Ｎは、右腕Ｎ１の片手のみで表示部４０を目視しながら、操作部４１を操作し、測定まで行うことが可能であり、非常に操作性の良いものとなる。また、被測定者Ｎによっては、表示部４０を目視してしまうことで、精神的な影響を受け、実際の血圧よりも高い数値で測定されてしまう場合がある。さらに、健康診断などで使用する場合には被測定者と測定者が異なる。これらのような場合には、図１０に示すような状態から第二の上部ハウジング４の向きを反転させて、被測定者が表示部４０を目視できないブランク測定とすれば良い。
【００３７】
また、図１に示すように、測定時においては、被測定者Ｎの右腕Ｎ１から発生するコロトコフ音がマイクロホンセンサ３０で検出される。このマイクロホンセンサ３０が、カフ１４の最下部、及び隣り合う両側の３箇所に設けられているので、被測定者Ｎによって挿入される右腕Ｎ１の向きが異なっても正確にコロトコフ音を検出することができる。
【００３８】
以上、血圧測定部位を右腕Ｎ１とした場合について説明をしたが、血圧測定部位は右腕Ｎ１に限られることは無い。図１１に示すように、架台５１の天板５２を反転させるとともに、第一の上部ハウジング３及び第二の上部ハウジング４を回転させれば、右腕Ｎ１と同様の測定条件で左腕Ｎ３によって測定することができる。このため、右腕に障害を持つ被測定者などでも同じ測定条件で測定することが可能である。また、図１２に示すように、車椅子に乗った被測定者の場合には、血圧測定装置１の中心線１ａを被測定者Ｎの向く方向と平行となる縦置きに調整し、これに対応して、第一の上部ハウジング３及び第二の上部ハウジング４を回転し調整することで、車椅子及び足が支障になること無く、車椅子の乗った状態で測定することができる。また、これらの使用例に限ること無く、架台５１の天板５２を回転させて血圧測定装置１全体の向きを調整するともに、第一の上部ハウジング３及び第二の上部ハウジング４を回転し調整することで、様々な使用態様、設置条件に合わせることができる。また、それ故にどのような使用態様、設置条件によっても、血圧測定部位を挿入孔１３ａに無理なく挿入することができ、精度良く測定することができる。また、図２に示すように、腕帯部６の測定部１３の位置を位置Ｕ１とすれば、血圧測定装置１全体の大きさをコンパクトにすることができ、輸送時、収納時などにおいては省スペース化を図ることができる。
【００３９】
以上、本発明の実施形態について図面を参照して詳述したが、具体的な構成はこの実施形態に限られるものではなく、本発明の要旨を逸脱しない範囲の設計変更等も含まれる。
【００４０】
なお、血圧測定装置１は、マイクロホンセンサ３０でコロトコフ音を検出するリバロッチ法によるものであるが、これに限ることは無い。脈波を検出することで、最高血圧及び最低血圧を決定するオシロメトリック法としても良い。また、マイクロホンセンサ３０を３箇所設けられるものとしたが、少なくともカフ１４の最下部の１箇所に設けられていれば良く、３箇所以上とすることでさらに確実性を高めることができる。また、第一の上部ハウジング３及び第二の上部ハウジング４は、中心線１ａに対して線対称に約２７０度回転可能としたが、使用条件に応じて適時設定可能である。さらに、第一の上部ハウジング３及び第二の上部ハウジング４は略半球体に形成されていて、第一の嵌合部１０及び第二の嵌合部３４が嵌合されているものとしたが、これに限るものでは無い。少なくとも、下部ハウジング２に当接される端部において、断面が略円形となる円周端が形成され、この円周端の外面部または内面部のいずれかの３箇所で嵌合されていれば良い。このような構成とすることで、中心軸を設けず下部ハウジング２に対して円周方向に摺動し、設置面７ａ、８ａに対して略鉛直な軸回りに回転可能とすることができる。また、血圧測定装置１は、架台５１に載置された血圧測定システム６０を構成するものとしたが、血圧測定装置１を机等に直接載置して単独で使用したとしても、同様の効果を得ることが可能である。
【図面の簡単な説明】
【００４１】
【図１】この発明の実施形態の血圧測定装置の全体斜視図である。
【図２】この発明の実施形態の血圧測定装置の平面図である。
【図３】この発明の実施形態の血圧測定装置の図１におけるＡ−Ａ断面図である。
【図４】この発明の実施形態の血圧測定装置の図１におけるＢ−Ｂ断面図である。
【図５】この発明の実施形態の血圧測定装置の図１におけるＣ−Ｃ断面図である。
【図６】この発明の実施形態の血圧測定装置の図１におけるＤ−Ｄ断面図である。
【図７】この発明の実施形態の血圧測定システムの全体斜視図である。
【図８】この発明の実施形態の架台の上方斜視図である。
【図９】この発明の実施形態の架台の下方斜視図である。
【図１０】この発明の実施形態の血圧測定システムの平面図である。
【図１１】この発明の実施形態の血圧測定システム使用した説明図である。
【図１２】この発明の実施形態の血圧測定システム使用した説明図である。
【符号の説明】
【００４２】
１  血圧測定装置
２  下部ハウジング
３  第一の上部ハウジング
３ａ  円周端
４  第二の上部ハウジング
４ａ  円周端
４ｃ  外面部
６  腕帯部
７ａ、８ａ  設置面
１０  第一の嵌合部
１３ａ  挿入孔
１３ｃ  先端部
１４  カフ
１４ｂ  内周面
３０  マイクロホンセンサ
３４  第二の嵌合部
４０  表示部
４１  操作部
５０  載置面
５１  架台
５２  天板
５３  脚部
６０  血圧測定システム
Ｍ  挿入方向
Ｐ  円周方向
Ｑ  円周方向
Ｒ  方向
Ｎ１、Ｎ３  血圧測定部位
【図１】
2007130284.tif 000003
【図２】
2007130284.tif 000004
【図３】
2007130284.tif 000005
【図４】
2007130284.tif 000006
【図５】
2007130284.tif 000007
【図６】
2007130284.tif 000008
【図７】
2007130284.tif 000009
【図８】
2007130284.tif 000010
【図９】
2007130284.tif 000011
【図１０】
2007130284.tif 000012
【図１１】
2007130284.tif 000013
【図１２】
2007130284.tif 000014